(57)【要約】【課題】  撮影シーン内に人間が存在する場合に、画像データの領域切り出しや画像合成などの複雑な画像処理を必要とせず、背景と人間の顔とのバランスが取れた画像が得られる撮影装置を提供する。【解決手段】  上記目的を達成する本発明の撮影装置は、被写体像が結像されて画像データを生成する撮像素子と、複数の撮影モードの中から任意の撮影モードを指定する撮影モード指定操作子と、上記撮像素子で得られた画像データに基づいて、撮影シーン内に人間の顔が存在するか否かを検出する顔検出部とを備え、撮影シーン内に人間の顔が存在しかつその顔が所定輝度以上の場合、および撮影シーン内に人間の顔が存在しない場合にフラッシュオフ撮影を行ない、撮影シーン内に人間の顔が存在しかつその顔が所定輝度未満の場合にフラッシュオン撮影を行なう特殊撮影モードを有することを特徴とする。【選択図】        図４
2008085581.tif 000002
【特許請求の範囲】
【請求項１】
被写体像が結像されて画像データを生成する撮像素子と、
複数の撮影モードの中から任意の撮影モードを指定する撮影モード指定操作子と、
前記撮像素子で得られた画像データに基づいて、撮影シーン内に人間の顔が存在するか否かを検出する顔検出部とを備え、
撮影シーン内に人間の顔が存在しかつ該顔が所定輝度以上の場合、および撮影シーン内に人間の顔が存在しない場合にフラッシュオフ撮影を行ない、撮影シーン内に人間の顔が存在しかつ該顔が所定輝度未満の場合にフラッシュオン撮影を行なう特殊撮影モードを有することを特徴とする撮影装置。
【請求項２】
前記特殊撮影モードは、夕焼けの風景の撮影に適した撮影条件が選択される夕焼けモードであることを特徴とする請求項１記載の撮影装置。
【請求項３】
前記特殊撮影モードは、夜景の撮影に適した撮影条件が選択される夜景モードであることを特徴とする請求項１記載の撮影装置。
【請求項４】
ホワイトバランス調整を行なうホワイトバランス調整部を備え、該ホワイトバランス調整部は、前記特殊撮影モードにおいてフラッシュオン撮影を行なう場合に、風景の趣きが残存するレベルのホワイトバランス調整を行うものであることを特徴とする請求項１記載の撮影装置。
【請求項５】
撮影感度を設定する感度設定部を備え、該感度設定部は、前記夜景モードにおいてフラッシュオン撮影を行なう場合に、フラッシュオフ撮影を行う場合よりも相対的に高い感度に設定するものであることを特徴とする請求項３記載の撮影装置。
【請求項６】
前記感度設定部は、前記夜景モードにおいてフラッシュオン撮影を行なう場合に、顔の距離が遠いほど撮影感度を高めるものであることを特徴とする請求項５記載の撮影装置。
【請求項７】
フラッシュ光の色温度調整が自在な撮影補助光源と、
撮影シーンの色温度を測定する色温度測定部と、
前記撮影補助光源の色温度を設定する色温度設定部とを備え、
前記色温度設定部は、前記特殊撮影モードにおいてフラッシュオン撮影を行なう場合に、前記フラッシュ光の色温度を撮影シーンの色温度に合わせた色温度に設定するものであることを特徴とする請求項１記載の撮影装置。
【発明の詳細な説明】
【技術分野】
【０００１】
本発明は、撮像素子上に被写体像を結像し撮影操作に応じて画像データを生成する撮影装置に関する。
【背景技術】
【０００２】
従来より、複数の撮影モードの中から任意の撮影モードをユーザが指定して、その指定された撮影モードに応じた撮影条件で撮影を実行するデジタルカメラが知られている。これらの撮影モードには、例えば、夜景の撮影に適した夜景モード、夕焼けの撮影に適した夕焼けモード、人物の撮影に適したポートレートモード、動きの速い被写体を撮影するのに適したスポーツモード、デジタルカメラ側で撮影条件を自動的に制御するオートモードなどがある。
【０００３】
ここで、ユーザが複数の撮影モードの中から、例えば、夕焼けモードを指定した場合、夕焼けモードでは、夕焼けが美しく撮れるようにフラッシュを非発光に固定したり、画像データの白色の色を調整するホワイトバランス調整を自動的に太陽光に固定して、必要以上に夕焼けの色を補正するのを防ぐようにする。
【０００４】
ところが、この夕焼けモードでは、人間の顔が夕焼けを背景にして撮影されると、人間の顔が逆光状態になり暗く写ってしまうという問題がある。
【０００５】
また、ユーザが夜景モードを指定した場合、夜景モードでは、通常、夜景が美しく撮れるようにフラッシュを非発光に固定する。
【０００６】
ところが、この夜景モードでは、人間の顔が暗く写ってしまうという問題がある。
【０００７】
従来、夜景モードの撮影において、人間の顔と夜景とのバランスの取れた画像を得ることを目的としたデジタルカメラが提案されている（例えば、特許文献１参照）。
【特許文献１】特開２００３−８７６４５号公報
【発明の開示】
【発明が解決しようとする課題】
【０００８】
この特許文献１のデジタルカメラでは、夜景を背景にして人間の顔を撮影する場合、同一の撮影シーンについてフラッシュオン撮影とフラッシュオフ撮影を行ない、フラッシュオン撮影で得られた第１の画像と、フラッシュオフ撮影で得られた第２の画像とから、第２の画像における人間の画像の領域を第１の画像における人間の画像の領域で置換する画像合成の処理を施すことにより、人間の顔と夜景とのバランスの取れた最終画像が得られる。
【０００９】
ところが、この特許文献１のデジタルカメラでは、画像合成の処理を行う分、余計な時間がかかるため、ユーザが続けて撮影したい場合にシャッタチャンスを逃す恐れがあるという問題がある。
【００１０】
本発明は、上記事情に鑑み、撮影シーン内に人間が存在する場合、画像合成の処理を必要とせず、背景と人間の顔とのバランスが取れた画像が得られる撮影装置を提供することを目的とする。
【課題を解決するための手段】
【００１１】
上記目的を達成する本発明の撮影装置は、
被写体像が結像されて画像データを生成する撮像素子と、
複数の撮影モードの中から任意の撮影モードを指定する撮影モード指定操作子と、
上記撮像素子で得られた画像データに基づいて、撮影シーン内に人間の顔が存在するか否かを検出する顔検出部とを備え、
撮影シーン内に人間の顔が存在しかつその顔が所定輝度以上の場合、および撮影シーン内に人間の顔が存在しない場合にフラッシュオフ撮影を行ない、撮影シーン内に人間の顔が存在しかつその顔が所定輝度未満の場合にフラッシュオン撮影を行なう特殊撮影モードを有することを特徴とする。
【００１２】
なお、ここで本発明にいう「撮影シーン」とは、これから撮影を予定している撮影画角内のシーンを意味する。
【００１３】
上記本発明の撮影装置によれば、撮影シーン内に人間の顔が存在してその顔が所定輝度未満の場合には、フラッシュオン撮影を行なうので顔が暗く写らずに済む。この場合、背景については、フラッシュオン撮影により背景の色が多少つぶれたりするおそれがある。しかし、フラッシュオフ撮影で顔が暗く写ってしまう場合と比較して、背景と人間の顔とのバランスが取れた画像が得られる。
【００１４】
さらに、画像合成の処理が不要になり余計な時間がかからず、ユーザが続けて撮影したい場合にシャッタチャンスを逃す恐れが回避される。
【００１５】
また、撮影シーン内に人間の顔が存在しかつその顔が所定輝度以上の場合には、フラッシュオフ撮影で顔が暗く写らずに済む。この場合、背景については、フラッシュオフ撮影により背景の色がつぶれたりするおそれは回避される。したがって、人間の顔が所定輝度未満の場合におけるフラッシュオン撮影と比較して、さらに背景と人間の顔とのバランスが取れた画像が得られる。
【００１６】
また、本発明の撮影装置において、上記特殊撮影モードは、夕焼けの風景の撮影に適した撮影条件が選択される夕焼けモードであることが好ましい。
【００１７】
上記特殊撮影モードが夕焼けモードの場合、撮影シーン内に人間の顔が存在する場合には、顔の輝度に応じてフラッシュオン／フラッシュオフ撮影がなされ、夕焼けと人間の顔とのバランスが取れた画像が得られる。
【００１８】
また、本発明の撮影装置において、特殊撮影モードは、夜景の撮影に適した撮影条件が選択される夜景モードであることが好ましい。
【００１９】
上記特殊撮影モードが夜景モードの場合、夕焼けモード同様、撮影シーン内に人間の顔が存在する場合には、顔の輝度に応じてフラッシュオン／フラッシュオフ撮影がなされ、夜景と人間の顔とのバランスが取れた画像が得られる。
【００２０】
また、本発明の撮影装置において、ホワイトバランス調整を行なうホワイトバランス調整部を備え、そのホワイトバランス調整部は、上記特殊撮影モードにおいてフラッシュオン撮影を行なう場合に、風景の趣きが残存するレベルのホワイトバランス調整を行うものであることが好ましい。
【００２１】
撮影シーン内に人間が存在した場合、人間の顔について風景の趣きが残存するレベルのホワイトバランス調整をすることにより、人間の顔が撮影シーンに溶け込んだ画像が得られる。
【００２２】
また、本発明の撮影装置において、撮影感度を設定する感度設定部を備え、その感度設定部は、上記夜景モードにおいてフラッシュオン撮影を行なう場合に、フラッシュオフ撮影を行う場合よりも相対的に高い感度に設定するものであることが好ましい。
【００２３】
夜景を美しく撮影する場合は、通常、シャッタ速度を遅くするが、人間が存在した場合には、人間が動いてしまう可能性があるので、感度を上げてシャッタ速度を速くすることで被写体ブレを防ぐことができる。
【００２４】
また、本発明の撮影装置において、上記感度設定部は、上記夜景モードにおいてフラッシュオン撮影を行なう場合に、顔の距離が遠いほど撮影感度を高めるものであることが好ましい。
【００２５】
顔の距離が遠いほど撮影感度を高めることで、顔の距離が遠くなっても人間の顔が暗く撮影されることが低減される。
【００２６】
また、本発明の撮影装置において、フラッシュ光の色温度調整が自在な撮影補助光源と、
撮影シーンの色温度を測定する色温度測定部と、
上記撮影補助光源の色温度を設定する色温度設定部とを備え、
上記色温度設定部は、上記特殊撮影モードにおいてフラッシュオン撮影を行なう場合に、上記フラッシュ光の色温度を撮影シーンの色温度に合わせた色温度に設定するものであることが好ましい。
【００２７】
なお、ここで本発明にいう「撮影シーンの色温度に合わせた色温度」は、上記フラッシュ光の色温度を撮影シーンの色温度と同じにする場合や、フラッシュ光の色温度をＲ（赤）、Ｇ（緑）、Ｂ（青）等量の白色に相当する色温度から撮影シーンの色温度側に寄った色温度にする場合も含む。
【００２８】
フラッシュ光の色温度を撮影シーンの色温度に合わせた色温度にすることにより、撮影時における被写体の色に近い色の画像が得られる。
【発明の効果】
【００２９】
本発明によれば、撮影シーン内に人間が存在する場合、画像合成の処理を必要とせず、背景と人間の顔とのバランスが取れた画像が得られる撮影装置が提供される。
【発明を実施するための最良の形態】
【００３０】
以下図面を参照して、本発明の実施形態を説明する。
【００３１】
図１は、本発明の一実施形態のデジタルカメラの、前方斜め上から見たときの外観斜視図である。
【００３２】
図１に示すデジタルカメラ１の前面１１には、撮影光学系を有するレンズ鏡胴１０、被写体に向けてフラッシュを発光するためのフラッシュ発光窓１２、および被写体を見るためのファインダ対物窓１３が配備されている。また、このデジタルカメラ１の上面１４には、レリーズボタン１５、撮影モードダイヤル１６が備えられている。レリーズボタン１５は半押しと全押しの２つの操作態様を有しており、「半押し」とは、レリーズボタン１５をある程度押し込み、その位置で止める操作のことである。「全押し」とは、レリーズボタン１５を全部押し込む操作のことであり、全押し操作により撮影が行なわれる。撮影モードダイヤル１６は、本発明にいう撮影モード指定操作子の一例に相当する。このデジタルカメラ１の撮影モードダイヤル１６で指定される撮影モードには、夜景モード、夕焼けモード、スポーツモード、マクロモード、およびポートレートモードが備えられているが、説明の便宜上、以下、撮影モードとして、夜景モード、夕焼けモード、およびポートレートモードについて使用するものとする。
【００３３】
ここで、夕焼けモードや夜景モードが本発明にいう特殊モードの一例に相当する。
【００３４】
図２は、図１に示すデジタルカメラの、後方斜め上から見たときの外観斜視図である。
【００３５】
図２に示されるように、このデジタルカメラ１の背面２１には、電源ボタン２２、モードスイッチ２３が設けられている。電源ボタン２２は、デジタルカメラ１の電源をＯＮ／ＯＦＦするものであり、モードスイッチ２３は、撮影モードと再生モードとを切り替えるスイッチである。
【００３６】
また、このデジタルカメラ１の背面２１には、メニュー切替えおよび実行キー２４が備えられている。メニュー切替えおよび実行キー２４は、撮影モード時には静止画撮影、再生モード時には静止画再生に使用されるメニューを自在に切り替えて設定条件を選択して実行するキーである。
【００３７】
さらに、このデジタルカメラ１の背面２１には、広角ズームキー２５、望遠ズームキー２６、液晶表示パネル２７、およびファインダ接眼窓２８が備えられている。広角ズームキー２５は、焦点距離を広角側に変更するためのキーであり、望遠ズームキー２６は、焦点距離を望遠側に変更するためのキーである。液晶表示パネル２７は、被写体の画像、メニュー切替えおよび実行キー２４のメニュー等を液晶表示するものである。ファインダ接眼窓２８は、ユーザが撮影の際に被写体を覗く窓である。
【００３８】
また、このデジタルカメラ１の側面３１には、記録媒体装填口３２が設けられている。記録媒体装填口３２から、画像データが記録される記録媒体１３４が取出し自在に装填される。
【００３９】
次に、デジタルカメラ１の内部のハードウエア構成を説明する。
【００４０】
図３は、図１、図２に示すデジタルカメラの内部のハードウエア構成を示す図である。
【００４１】
このデジタルカメラ１にはＣＰＵ（Ｃｅｎｔｒａｌ  Ｐｒｏｃｅｓｓｉｎｇ  Ｕｎｉｔ：中央処理装置）１００が備えられている。
【００４２】
ＣＰＵ１００には、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ：電気消去可能プログラマブル読出し専用メモリ）１００＿１、ＲＯＭ（  Ｒｅａｄ  Ｏｎｌｙ  Ｍｅｍｏｒｙ：読出し専用メモリ）１００＿２が備えられている。ＥＥＰＲＯＭ１００＿１は書き換え可能な不揮発性メモリで構成されている。また、ＲＯＭ１００＿２内にはプログラムが格納されている。このプログラムの手順にしたがってデジタルカメラ１の動作がＣＰＵ１００により制御される。
【００４３】
このデジタルカメラ１では、ＴＴＬ（Ｔｈｒｏｕｇｈ  Ｔｈｅ  Ｌｅｎｓ）測距により被写体距離が検出され、ＴＴＬ（Ｔｈｒｏｕｇｈ  Ｔｈｅ  Ｌｅｎｓ）測光により被写体輝度が検出される。
【００４４】
ＴＴＬ測距においては、撮影画角内が二次元的に分割された複数の測距領域それぞれについて測距が行なえるようになっており、ＴＴＬ測光においても、撮影画角内が二次元的に分割された複数の測光領域それぞれについて測光が行なえるようになっている。さらに、後述するように被写体の顔の輝度や顔の距離を検出する場合には、顔を検出したエリアに対してスポット的にＴＴＬ測光およびＴＴＬ測距が行なえるようになっている。
【００４５】
このデジタルカメラ１には、操作部２０、および電源部１１０が備えられている。操作部２０は、図２において既に説明したデジタルカメラ１の背面２１および上面１４に備えられている各操作子の操作を受け付けて、受け付けたことを表わす信号をＣＰＵ１００に出すものである。電源部１１０は、不図示のバッテリ（充電池）が装着され、電源投入操作を受けてそのバッテリから各ブロックへ給電するものである。
【００４６】
このデジタルカメラ１には、撮像部３０が備えられている。撮像部３０には、レンズ鏡胴１０、ＣＣＤ（Ｃｈａｒｇｅ  Ｃｏｕｐｌｅｄ  Ｄｅｖｉｃｅｓ：電荷結合素子）１０４が備えられている。このＣＣＤ１０４は、本発明にいう撮像素子の一例に相当するものである。
【００４７】
レンズ鏡胴１０内には、前方から順に、ズームレンズ１０１、フォーカスレンズ１０２、およびアイリス１０３が備えられている。
【００４８】
ここで、被写体光がズームレンズ１０１に入射し、フォーカスレンズ１０２を経て、被写体光の光量を調整するアイリス１０３を通過した後、ＣＣＤ１０４に結像する。本来、撮影光学系には複数のレンズが配備され、それら複数のレンズのうち少なくとも１つのレンズがピント調節に大きく関与し、各レンズの相対位置が焦点距離に関与するが、この図３では、焦点距離の変更に係わるレンズをズームレンズ１０１として模式的に示しており、同じくピントの調節に係わるレンズをフォーカスレンズ１０２として模式的に示している。
【００４９】
このデジタルカメラ１には、ズームレンズ駆動用のズームレンズモータ（Ｍ１）１０１＿１、フォーカスレンズ駆動用のフォーカスレンズモータ（Ｍ２）１０２＿１、アイリス開閉用のアイリスモータ（Ｍ３）１０３＿１、および光学制御部１１５が設けられている。光学制御部１１５は、ＣＰＵ１００からの指示に従って、ズームレンズモータ１０１＿１にズームレンズ１０１を駆動させたり、フォーカスレンズモータ１０２＿１にフォーカスレンズ１０２を駆動させるものである。また、光学制御部１１５は、ＣＰＵ１００からの指示に従って、アイリスモータ１０３＿１にアイリス１０２の開口径を変化させるものでもある。
【００５０】
このデジタルカメラ１には、ＣＤＳ（Ｃｒｒｅｌｌａｔｅｄ  Ｄｏｕｂｌｅ  Ｓａｍｐｌｉｎｇ：相関二重サンプリング）１１１、Ａ／Ｄ変換部１１２、ホワイトバランス調整部１１３、γ（ガンマ）処理部１１４、およびクロックジェネレータ１１６が備えられている。ＣＤＳ１１１は、ＣＣＤ１０４から出力された画像信号の雑音を低減する処理等を行ない、Ａ／Ｄ変換部１１２は、アナログ信号をデジタル化されたＲＧＢ信号に変換するものである。
【００５１】
ホワイトバランス調整部１１３は、Ａ／Ｄ変換部１１２で変換されたＲＧＢ信号のＲ成分、Ｇ成分、Ｂ成分のバランスを調整することにより、画像データの白色のバランスを調整するものである。このホワイトバランス調整部１１３には、ＣＣＤ１０４からの画像信号の増幅率（ゲイン）を変える増幅器（不図示）が設けられている。γ処理部１１４は、被写体像の階調特性（いわゆるγカーブ）を調整するものである。
【００５２】
クロックジェネレータ１１６は、ＣＰＵ１００からの指示に基づいてタイミング信号を出力するものであり、ＣＣＤ１０４での電子シャッタのタイミングや画像信号の読出しのタイミングを制御するものである。
【００５３】
このデジタルカメラ１には、ＡＦ（Ａｕｔｏ  Ｆｏｃｕｓ：オートフォーカス）検出部１１７、ＡＥ（Ａｕｔｏ  Ｅｘｐｏｓｕｒｅ：自動露出）検出部１１８が備えられている。ＡＦ検出部１１７は、ＣＰＵ１００からＴＴＬ測距の測距領域を指示されて、撮影画像を表す画像信号に基づいてその測距領域での合焦状態を検出するものである。その検出された合焦状態と、その時点におけるフォーカスレンズ１０２の位置とに基づいてＣＰＵ１００が測距領域における被写体距離を算出する。ＡＥ検出部１１８は、ＣＰＵ１００からＴＴＬ測光の測光領域を指示されて、後述する輝度信号（Ｙ）から画像の輝度情報に基づいて、その測定領域内における被写体輝度を検出するものである。
【００５４】
このデジタルカメラ１には、バッファメモリ１２１、ＹＣ処理部１２２、ＹＣ／ＲＧＢ処理部１２３、ＬＣＤ（Ｌｉｑｕｉｄ  Ｃｒｙｓｔａｌ  Ｄｉｓｐｌａｙ：液晶表示）制御部１２４、およびデータバス１３０が備えられている。バッファメモリ１２１は、ホワイトバランス調整部１１３での画像処理を経てγ処理部１１４において画像処理が施されたＲＧＢ信号を一時的に記憶するものである。ＹＣ処理部１２２は、ＡＥ検出部１１８へ輝度信号（Ｙ）を提供するために、バッファメモリ１２１に記憶されたＲＧＢ信号を輝度信号（Ｙ）と色信号（Ｃ）とからなるＹＣ信号に変換するものである。ＹＣ／ＲＧＢ処理部１２３は、ＹＣ処理部１２２で生成されたＹＣ信号をスルー画像表示用のＲＧＢ信号に変換するものである。このＲＧＢ信号は、ＲＧＢ信号を高速に処理するＬＣＤ制御部１２４を介して液晶表示パネル２７に伝えられ、液晶表示パネル２７上にスルー画像として表示される。
【００５５】
このデジタルカメラ１には、圧縮／伸張部１３１、インターフェース（Ｉ／Ｆ）部１３２、媒体記録装置１３３、および記録媒体１３４が備えられている。
【００５６】
圧縮／伸張部１３１は、ＹＣ信号に変換された画像データを圧縮もしくは伸長処理するものである。媒体記録装置１３３は画像データを物理的に記録媒体１３４に記録するものである。インターフェース（Ｉ／Ｆ）部１３２は、圧縮された画像データを記録媒体１３４に記録できるように、通信インターフェースを提供するものである。
【００５７】
また、このデジタルカメラ１には、フラッシュ発光制御部１５１、フラッシュ発光部１５２が備えられている。
【００５８】
フラッシュ発光部１５２は、Ｒ（赤）、Ｇ（緑）、Ｂ（青）の３色のＬＥＤ（Ｌｉｇｈｔ  Ｅｍｉｔｔｉｎｇ  Ｄｉｏｄｅ：発光ダイオード）をフラッシュ光源とするものである。
【００５９】
このフラッシュ発光部１５２が、本発明にいう撮影補助光源の一例に相当する。
【００６０】
フラッシュ発光制御部１５１は、ＣＰＵ１００から色温度を指定されてフラッシュ発光部１５２が有する各ＬＥＤの発光量の比をその色温度に対応した比に制御することによりフラッシュ発光の色温度を、指定された色温度に調節するものである。フラッシュ発光部１５２はフラッシュ発光制御部１５１による色温度調節にしたがって撮影補助光を発光する。
【００６１】
次に、本発明の一実施形態のデジタルカメラ１の機能について、機能ブロック図およびフローチャートを用いて説明する。先に、機能ブロック図について説明し、必要に応じて図３に示すデジタルカメラ１の内部のハードウエア構成を参照する。
【００６２】
図４は、図３に示すデジタルカメラ１の機能を示した機能ブロック図である。
【００６３】
このデジタルカメラ１は、機能的には、撮影操作部２００、撮像処理部２０１を有する。
【００６４】
撮影操作部２００は、ユーザからの撮影操作を受け付けて、どの撮影操作を受け付けたかを示す信号を他の機能ブロックへと伝えるものである。この撮影操作部２００の機能は、図３に示すハードウエア上では、操作部２０およびＣＰＵ１００によって担われている。
【００６５】
撮像処理部２０１は、撮影操作部２００から全押し操作が伝えられると、撮像素子上に被写体像を結像させ、その被写体信号を表わすＲＧＢ信号を出力する撮像処理を行うものである。
【００６６】
この撮像処理部２０１は、上記撮像処理の他に、スルー画像を表わすＲＧＢ信号を出力する処理も行う。また、撮影操作部２００で指定された撮影モードの判定も行い、撮影モードが夕焼けモードもしくは夜景モードのうちのいずれか一方の撮影モードである場合には、後述する顔検出部２０２に対する顔検出の指示も行う。
【００６７】
また、撮像処理部２０１は、半押し操作を受けて、ＴＴＬ測光により撮影画角内におけるデジタルカメラ１の感度の決定も行う。この場合、アナログカメラの感度を表わすために国際的に標準化されているＩＳＯ感度で言うところの、ＩＳＯ感度‘１００’、ＩＳＯ感度‘２００’、ＩＳＯ感度‘４００’、ＩＳＯ感度‘８００’、ＩＳＯ感度‘１６００’に相当する各感度のうちから選択的にデジタルカメラ１の感度を決定する。
【００６８】
この撮像処理部２０１の機能は、図３に示すハードウエア上では、撮像部３０、ＣＤＳ１１１、Ａ／Ｄ変換部１１２、光学制御部１１５、クロックジェネレータ１１６、ＡＥ検出部１１８、およびＣＰＵ１００によって担われている。
【００６９】
このデジタルカメラ１は、機能的には、顔検出部２０２も有する。
【００７０】
顔検出部２０２は、撮像処理部２０１から顔検出の指示を受けて撮影画角内で顔を検出し、その顔の範囲の輝度を検出したり、その顔の距離を検出するものである。具体的には、顔検出部２０２は、スルー画を表わした画像データを利用してＣＰＵ１００で肌色の部分を抽出することにより被写体像の顔の部分を検出し、撮影画角内における顔の位置を特定するための座標データ、および顔の存在する顔検出エリア（水平幅、垂直幅）を求める。顔が検出された場合、ＡＥ検出部１１８が、ＣＰＵ１００から顔検出エリアへのＴＴＬ測光の指示を受け、顔検出エリア内における各点の輝度信号に基づいて顔の輝度を求める。また、ＡＦ検出部１１７が、ＣＰＵ１００から顔検出エリア内へのＴＴＬ測距の指示を受け、顔検出エリア内における各点の画像信号に基づいて合焦状態を検出し、ＣＰＵ１００はその合焦状態を用いて顔の距離を求める。つまり、顔検出部２０２の機能は、図３に示すハードウエア上では、ＡＦ検出部１１７、ＡＥ検出部１１８、およびＣＰＵ１００によって担われている。
【００７１】
このデジタルカメラ１は、機能的には、顔輝度判定部２０３、感度設定部２０４も有する。
【００７２】
顔輝度判定部２０３は、顔検出部２０２で検出された顔検出エリアの輝度に基づいて、フラッシュオンをするのか、フラッシュオフをするのかを決定するものである。この顔輝度判定部２０３の機能は、図３に示すハードウエア上では、ＣＰＵ１００によって担われている。
【００７３】
感度設定部２０４は、夜景モード時に顔検出部２０２で顔が検出された場合、デジタルカメラ１の感度として、撮像処理部２０１で決定された感度を顔検出部２０２で検出された顔の距離に応じた感度に変更する。この場合、顔の距離が遠いほど感度を高める。こうすることにより、顔の距離が遠くなっても人間の顔が暗く撮影されることが低減される。
【００７４】
この感度設定部２０４の機能は、図３に示すハードウエア上では、ＣＰＵ１００によって担われている。
【００７５】
また、このデジタルカメラ１は、機能的には、ホワイトバランス用画像処理部２０５、信号処理部２０６、表示部２０７、および記録部２０８も有する。
【００７６】
ホワイトバランス用画像処理部２０５は、画像データのホワイトバランス調整を行ったり、決定された撮影感度を実現するものである。このホワイトバランス用画像処理部２０５の機能は、図３に示すハードウエア上では、ホワイトバランス調整部１１３、ＣＰＵ１００によって担われている。
【００７７】
信号処理部２０６は、ホワイトバランス調整がなされた後の画像データの階調特性を調整し、ＹＣ信号に変換するものである。この信号処理部２０６の機能は、図３に示すハードウエア上では、γ処理部１１４、ＹＣ処理部１２２、ＣＰＵ１００によって担われている。
【００７８】
表示部２０７は、図２に示す液晶表示パネル２７にスルー画像を表示する。この表示部２０７の機能は、図３に示すハードウエア上では、ＹＣ／ＲＧＢ処理部１２３、ＬＣＤ制御部１２４、液晶表示パネル２７、ＣＰＵ１００によって担われている。記録部２０８は、記録媒体に画像データを記録するものである。
【００７９】
この記録部２０８の機能は、図３に示すハードウエア上では、圧縮／伸張部１３１、インターフェース（Ｉ／Ｆ）部１３２、媒体記録装置１３３、ＣＰＵ１００によって担われている。
【００８０】
また、このデジタルカメラ１は、機能的には、フラッシュ発光制御処理部２０９、色温度測定部２１０、および色温度可変フラッシュ発光部２１１を有する。
【００８１】
色温度測定部２１０は、スルー画像データに基づいて撮影シーンの色温度を測定するものである。この色温度測定部２１０の機能は、図３に示すハードウエア上では、ＣＰＵ１００によって担われている。
【００８２】
フラッシュ発光制御処理部２０９は、色温度可変フラッシュ発光部２１１が有する各ＬＥＤの発光量の比を、色温度測定部２１０で測定された色温度になるように調節するものである。このフラッシュ発光制御処理部２０９が、本発明にいう色温度設定部の一例に相当する。
【００８３】
このフラッシュ発光制御処理部２０９の機能は、図３に示すハードウエア上では、フラッシュ発光制御部１５１、ＣＰＵ１００によって担われている。
【００８４】
色温度可変フラッシュ発光部２１１は、フラッシュ発光制御処理部２０９によって調節された発光量の比に従って各ＬＥＤを発光させてフラッシュ発光をするものである。この色温度可変フラッシュ発光部２１１の機能は、図３に示すハードウエア上では、フラッシュ発光部１５２によって担われている。
【００８５】
図５は、本発明の一実施形態のデジタルカメラの機能を示すフローチャートである。
【００８６】
ユーザが図２に示す電源ボタン２２を押すという電源投入操作を行うと、撮影操作部２００が電源投入操作を受け付けたことを表わす信号をＣＰＵ１００に伝える。ＣＰＵ１００では、デジタルカメラ１の初期化として、ＲＯＭ１００＿２内のプログラムの実行が開始され、液晶表示パネル２７にスルー画像が表示されるとともに、撮影条件の設定操作やレリーズボタン１５の操作を受け付ける状態となる。
【００８７】
図５に示すフローチャートは、デジタルカメラ１の初期化を受けて開始される。
【００８８】
まず、撮影操作部２００で撮影モードが指定されると、撮像処理部２０１等がその撮影モードを表わす信号を受け付ける（ステップＳ１０１）。
【００８９】
レリーズボタン１５が半押しされると（ステップＳ１０２）、撮像処理部２０１はどの撮影モードが指定されたかを判定する（ステップＳ１０３）。
【００９０】
撮影モードが夕焼けモードもしくは夜景モードのうちのいずれか一方の撮影モードである場合には、撮像処理部２０１は顔検出部２０２に顔検出の指示を出し、顔検出部２０２は、上述した通り、撮影画角内の顔の位置を特定するための座標データ、および顔の存在する顔検出エリア（水平幅、垂直幅）を求める（ステップＳ１０４）。
【００９１】
次に、顔が検出されたか否かの判定がなされる（ステップＳ１０５）。
【００９２】
顔が検出された場合には、ステップＳ１０６に進み、顔検出部２０２が、顔の輝度や顔の距離を求める。
【００９３】
次に、顔輝度判定部２０３では、顔の輝度が、フラッシュを発して外光の光量不足を補わなくても済む輝度であるか否かが判定される（ステップＳ１０７）。
【００９４】
顔の輝度が、フラッシュを発して外光の光量不足を補うべき低輝度であった場合には、ステップＳ１０８に進み、撮影モードが夜景モードであるか否かが判定される。
【００９５】
ステップＳ１０８の判定において、夜景モードである場合には、ステップＳ１０９の感度設定の処理に進み、感度設定部２０４は、顔の距離に応じて、ＩＳＯ感度‘４００’、ＩＳＯ感度‘８００’、ＩＳＯ感度‘１６００’に相当する感度の何れかにデジタルカメラ１の感度を決定する。この感度設定の処理は、夕焼けモードの場合にはスキップされる。
【００９６】
次にステップＳ１１０に進み、色温度測定部２１０は、撮影シーンの色温度を測定する。
【００９７】
続いて、フラッシュ発光制御処理部２０９は、色温度可変フラッシュ発光部２１１が有する各ＬＥＤの発光量の比を色温度測定部２１０で測定した色温度になるように調節する（ステップＳ１１１）。
【００９８】
その後、ユーザによりレリーズボタン１５が全押しされることにより（ステップＳ１１２）、撮影操作部２００が撮像処理部２０１とフラッシュ発光制御処理部２０９に撮影開始の信号を送る。この撮影開始の信号を受けて、フラッシュ発光制御処理部２０９は、色温度可変フラッシュ発光部２１１に指示することにより、色温度可変フラッシュ発光部２１１は、色温度測定部２１０で測定された色温度に合わせた撮影補助光を発光する。また、このフラッシュ発光のタイミングに同期して、撮像処理部２０１は、デジタル信号に変換されたＲＧＢからなる画像データを生成する（ステップＳ１１３）。
【００９９】
夕焼けモードの撮影時には、夕焼けの橙色を乱すような光ではなく、夕焼けの色に合った色でフラッシュが発光するので、夕焼けの雰囲気が保たれつつ、顔が好適な明るさで写った画像が得られる。
【０１００】
また、夜景モードの撮影時には、街灯等の色を乱すような光ではなく、街灯等の色に合った色でフラッシュが発光するので、夜景の雰囲気が保たれつつ、顔が好適な明るさで写った画像が得られる。
【０１０１】
続いて、ホワイトバランス用画像処理部２０５は、顔の色味を考慮したホワイトバランス調整を行う（ステップＳ１１４）。具体的には、夕焼けや街灯による顔の色つきを完全に補正すると、夕焼けや夜景自体の色が弱まるので、夕焼けや夜景の趣きが残存するレベルに抑えられたホワイトバランス調整がなされる。そのため、顔の明るさだけではなく、顔の色味も好適に撮影できる。
【０１０２】
続いて、信号処理部２０６の処理が実行される。
【０１０３】
ここで、表示部２０７は、撮影画像を表示し、記録部２０８は、画像データを記録媒体１３４に記録する（ステップＳ１１５）。
【０１０４】
記録媒体１３４に画像データが記録された後、ユーザにより電源がオフされると（ステップＳ１１６：Ｙｅｓ）、この図５に示す撮影動作の処理ルーチンは終了する。一方、ユーザにより電源がオフされない場合には（ステップＳ１１６：Ｎｏ）、ステップＳ１０１の撮影モード受付けに戻る。そのままの撮影モードで撮影する場合には、半押しされることにより（ステップＳ１０２）、ステップＳ１０３の撮影モードの判定に進み、撮影モードを替える場合には、ステップＳ１０１で撮影モードが切替えられた後、半押しされることにより（ステップＳ１０２）、ステップＳ１０３の撮影モードの判定に進む。
【０１０５】
以上説明したように、本実施形態のデジタルカメラ１では、夜景もしくは夕焼けの撮影シーン内に人間の顔が存在し、その顔の輝度が低輝度の場合にフラッシュオン撮影を行なうので、顔が暗く写らずに済み、背景と人間の顔とのバランスが取れた画像が得られる。さらに、画像合成などの複雑な処理が不要になり余計な時間がかからず、ユーザが続けて撮影したい場合にシャッタチャンスを逃す恐れが回避される。
【０１０６】
なお、上記のステップＳ１０３における顔の検出の判定において、夜景もしくは夕焼けの撮影シーンに人間の顔が検出されなかった場合と、上記のステップＳ１０５における顔の輝度の判定において、顔の輝度が、フラッシュを発して外光の光量不足を補わなくても済む輝度以上であった場合には、まず、フラッシュ発光制御処理部２０９はフラッシュを非発光に設定し、ユーザによりレリーズボタン１５が全押しされることにより（ステップＳ１２１）、撮像処理部２０１による半押し時の感度設定は元のままでフラッシュオフ撮影がなされ、撮像処理部２０１は、デジタル信号に変換されたＲＧＢからなる画像データを生成する（ステップＳ１２２）。
【０１０７】
次に、夜景／夕焼けの色味が残存するようにホワイトバランス調整がなされる（ステップＳ１２３）。
【０１０８】
その後、ステップＳ１１５に進み、このステップＳ１１５以降は、上記説明した処理と同様の処理が実行されるので重複説明は省略する。
【０１０９】
このように、夜景もしくは夕焼けの撮影シーン内に人間の顔が存在しかつその顔の輝度が高輝度の場合や人間の顔が不存在の場合には、フラッシュオフ撮影が行なわれることにより、背景の色がつぶれたりするおそれが回避されるので、夜景や夕焼けのシーンが好適に撮影された画像が得られる。
【０１１０】
また、上記のステップＳ１０３の撮影モードの判定で、ポートレートモードが選択されていた場合は、ステップＳ１３１にスキップし、ポートレートモードの撮影条件に設定され、ユーザによりレリーズボタン１５が全押しされることにより（ステップＳ１３２）、撮像処理部２０１は、デジタル信号に変換されたＲＧＢからなる画像データを生成する（ステップＳ１３３）。
【０１１１】
続いて、ホワイトバランス画像処理部２０５は、ポートレートモードに応じたホワイトバランス調整を行う（ステップＳ１３４）。
【０１１２】
その後ステップＳ１１５に進み、このステップ１１５以降は上記説明した処理と同様の処理が実行されるので重複説明は省略する。
【０１１３】
以上で、本発明の実施形態についての説明を終了する。
【０１１４】
以上説明した、本発明の実施形態では、本発明にいう特殊モードにおいて、フラッシュ発光の色温度調整がなされて発光する例が示されているが、本発明の撮影装置は、キセノン管をフラッシュ光源とし、特殊モードにおいてフラッシュオン／フラッシュオフの切り替え制御のみを行うものであってもよい。
【図面の簡単な説明】
【０１１５】
【図１】本発明の一実施形態のデジタルカメラの、前方斜め上から見たときの外観斜視図である。
【図２】図１に示すデジタルカメラの、後方斜め上から見たときの外観斜視図である。
【図３】図１、図２に示すデジタルカメラの内部のハードウエア構成を示す図である。
【図４】図３に示すデジタルカメラ１の機能を示した機能ブロック図である。
【図５】本発明の一実施形態のデジタルカメラの機能を示すフローチャートである。
【符号の説明】
【０１１６】
１  デジタルカメラ
１０  レンズ鏡胴
１１  デジタルカメラ１の前面
１２  フラッシュ発光窓
１３  ファインダ対物窓
１４  デジタルカメラの上面
１５  レリーズボタン
１６  撮影モードダイヤル
２０  操作部
２１  デジタルカメラの背面
２２  電源ボタン
２３  モードスイッチ
２４  メニュー切替および実行キー
２５  広角ズームキー
２６  望遠ズームキー
２７  液晶表示パネル
２８  ファインダ接眼窓
３１  側面
３２  記録媒体装填口
１００  ＣＰＵ
１００＿１  ＥＥＰＲＯＭ
１００＿２  ＲＯＭ
１０１  ズームレンズ
１０１＿１  ズームレンズモータ
１０２  フォーカスレンズ
１０２＿１  フォーカスレンズモータ
１０３  アイリス
１０３＿１  アイリスレンズモータ
１０４  ＣＣＤ
１１０  電源部
１１１  ＣＤＳ
１１２  Ａ／Ｄ変換部
１１３  ホワイトバランス調整部
１１４  γ（ガンマ）処理部
１１５  光学制御部
１１６  クロックジェネレータ
１１７  ＡＦ検出部
１１８  ＡＥ検出部
１２１  バッファメモリ
１２２  ＹＣ処理部
１２３  ＹＣ／ＲＧＢ処理部
１２４  ＬＣＤ制御部
１３０  データバス
１３１  圧縮／伸張部
１３２  Ｉ／Ｆ部
１３３  媒体記録装置
１３４  記録媒体
１５１  フラッシュ発光制御部
１５２  フラッシュ発光部
１５３  色温度測定部
１５４  色温度設定部
２００  撮影操作部
２０１  撮像処理部
２０２  顔検出部
２０３  顔輝度判定部
２０４  感度設定部
２０５  ホワイトバランス用画像処理部
２０６  信号処理部
２０７  表示部
２０８  記録部
２０９  フラッシュ発光制御処理部
２１０  色温度測定部
２１１  色温度可変フラッシュ発光部
【図１】
2008085581.tif 000003
【図２】
2008085581.tif 000004
【図３】
2008085581.tif 000005
【図４】
2008085581.tif 000006
【図５】
2008085581.tif 000007